(57)【要約】【課題】  複数の画素を選択的に変調する手段側から出射された各ビームで露光処理する際、描画の歪み量を補正して高精度な描画を可能としたマルチビーム露光装置を提供する。【解決手段】  複数の画素を選択的に変調する手段の露光エリア内で平均的に分散して点在するよう設定した複数の被測定画素Ｚから露光面上に照射された光ビームの露光点位置情報をビーム位置検出手段７２、７４で検出し、複数の画素を選択的に変調する手段における各被測定画素Ｚの位置情報と、ビーム位置検出手段を利用して検出された各被測定画素からそれぞれ露光面に投射された光ビームの各露光点位置情報とから、これらの相対的な位置のずれを歪み量演算手段で演算することにより描画の歪み量を求め、これに対応して補正し、高精度な描画を可能とする。【選択図】  図８
2005316409.tif 000002
【特許請求の範囲】
【請求項１】
複数の画素を有し各画素毎に光源から照射された光を変調する変調手段を有し、
画像データに基づいて前記変調手段の複数の画素を各画素毎に変調することで露光面上に描画像を露光する露光装置において、
前記変調手段のうち被測定画素として所定の複数画素から露光面上に照射された各光ビームの露光点位置情報を検出するビーム位置検出手段と、
前記変調手段における前記被測定画素の位置情報と、前記ビーム位置検出手段を利用して検出された各被測定画素からそれぞれ露光面に照射された光ビームの各露光点位置情報とから、これらの相対的な位置ズレを算出する位置ズレ算出手段と、を有することを特徴とする露光装置。
【請求項２】
前記位置ズレ算出手段から算出された相対的な位置ズレから描画像の歪み量を算出する歪み量算出手段を備えたことを特徴とする請求項１に記載の露光装置。
【請求項３】
前記歪み量算出手段により算出された描画像の歪み量に基づき、画像データを補正する画像データ補正手段を備えたことを特徴とする請求項２に記載の露光装置。
【請求項４】
前記ビーム位置検出手段が、露光面に配置される感光材料を載置して走査方向に移動するステージの端部に設置されたスリット板と、前記スリット板に形成された所定長さを持つ直線状の第１スリット部と所定長さを持つ直線状の第２スリット部とをお互いが平行でないように配置した形状の検出用スリットと、前記検出用スリットを通過した光ビームを受光する光検知手段と、を有することを特徴とする請求項１に記載の露光装置。
【請求項５】
複数の画素を有し各画素毎に光源から照射された光を変調する変調手段を有し、
画像データに基づいて前記変調手段の複数の画素を各画素毎に変調することで露光面上に描画像を露光する露光装置において、
前記変調手段のうち被測定画素として所定の複数画素から露光面上に照射された各光ビームの露光点位置情報を検出するビーム位置検出手段を備え、
前記ビーム位置検出手段は前記露光ヘッドに対して走査方向に並んでいない２点以上の測定箇所でビームの露光点位置を測定し、
前記露光点位置から前記ビーム位置検出手段の走査方向に対する角度を検出する角度検出手段を備えたことを特徴とする露光装置。
【請求項６】
前記角度検出手段により検出された前記ビーム位置検出手段の走査方向に対する角度に基づいて、露光面上にて露光される画像データを補正する画像データ補正手段を備えたことを特徴とする請求項５に記載の露光装置。
【請求項７】
前記ビーム位置検出手段の走査方向に対する角度を機械的に調整する角度調整手段を備えたことを特徴とする請求項１ないし請求項６の何れかに記載の露光装置。
【請求項８】
前記ビーム位置検出手段はスリット板と光検知手段からなり、前記角度調整手段は前記スリット板を走査方向に対して回動させるアクチュエータであることを特徴とする請求項１ないし請求項６の何れかに記載の露光装置。
【請求項９】
前記スリット板をガラス板で形成し、前記検出用スリットを、前記ガラス板上に遮光膜を形成し、当該遮光膜における光ビームを通過させる部分の前記遮光膜を除去して形成したことを特徴とする請求項４に記載の露光装置。
【請求項１０】
前記遮光膜がクロム膜を含むことを特徴とする請求項９に記載の露光装置。
【請求項１１】
前記ガラス板が石英ガラス板であることを特徴とする請求項９または請求項１０の何れかに記載の露光装置。
【発明の詳細な説明】
【技術分野】
【０００１】
この発明は露光装置に関し、特に露光ヘッドに設置された空間光変調素子等の複数の画素を画像データ（パターンデータ）に基づいて選択的に変調する手段から出射された各ビームを、レンズアレイ等の光学素子により１画素毎に集光させて照射することにより、所定のパターンで露光する、マルチビーム露光装置に関する。
【背景技術】
【０００２】
近年、デジタル・マイクロミラー・デバイス（ＤＭＤ）といった空間光変調素子等をパターンジェネレータとして利用して、画像データに応じて変調された光ビームにより、被露光部材上に画像露光を行うマルチビーム露光装置の開発が進められている。
【０００３】
このＤＭＤは、例えば制御信号に応じて反射面の角度が変化する多数のマイクロミラーをシリコン等の半導体基板上に２次元的に配列したミラーデバイスであり、各メモリセルに蓄えた電荷による静電気力でマイクロミラーの反射面の角度を変化させるよう構成されている。
【０００４】
従来のＤＭＤを用いたマルチビーム露光装置では、例えば、レーザビームを出射する光源から出射されたレーザビームをレンズ系でコリメートし、このレンズ系の略焦点位置に配置されたＤＭＤの複数のマイクロミラーでそれぞれレーザビームを反射して複数のビーム出射口から各ビームを出射する露光ヘッドを用い、さらに露光ヘッドのビーム出射口から出射された各ビームを１画素毎に１つのレンズで集光させるマイクロレンズアレイ等の光学素子を持つレンズ系により感光材料（被露光部材）の露光面上にスポット径を小さくして結像し、解像度の高い画像露光を行う。
【０００５】
このような露光装置では、画像データ等に応じて生成した制御信号に基づいてＤＭＤのマイクロミラーの各々を図示しない制御装置でオンオフ（ｏｎ／ｏｆｆ）制御してレーザビームを変調（偏向）し、変調されたレーザビームを露光面（記録面）上に照射して露光する。
【０００６】
この露光装置は、記録面に感光材料（フォトレジスト等）を配置し、マルチビーム露光装置の複数の露光ヘッドからそれぞれ感光材料上にレーザビームが照射されて結像されたビームスポットの位置を感光材料に対して相対的に移動させながら、各々のＤＭＤを画像データに応じて変調することにより、感光材料上にパターン露光する処理を実行可能に構成されている。
【０００７】
このような露光装置では、例えば基板上に高精度に回路パターンを露光する処理に利用する場合に、露光ヘッドの照明光学系や結像光学系に用いられるレンズがディストーションと呼ばれる固有の歪み特性を有しているため、ＤＭＤの全マイクロミラーにより構成された反射面と、露光面上における投影像とが正確な相似の関係にならず、露光面上の投影像がディストーションにより変形して位置ずれを生じ設計された回路パターンに厳密に一致しない場合がある。
【０００８】
そこで従来の露光装置では、ディストーションを補正する手段が提案されている。このディストーションを補正する手段では、露光ユニットによって描画面上に投影される全面露光領域の所定位置に原点を設定し、所定のマイクロミラーによる光学像の相対位置（露光点）を描画前に専用の機器により測定し、この実測値を露光点座標データとしてシステムコントロール回路のＲＯＭに予め格納している。描画する際には、この実測値が露光点座標データとして露光点座標データメモリに出力される。
【０００９】
これにより露光データメモリには、実質的にディストーション補正された回路パターンのビットデータが保持されることになる。よって、各マイクロミラーに与えられる露光データはディストーションが考慮された値であるので、露光ユニットの光学要素がディストーションを有していたとしても、高精度に回路パターンを描画できるようにしている（例えば、特許文献１参照。）。
【００１０】
このようなマルチビーム露光装置では、より高精度な描画を行う場合に、露光ヘッドによる描画の歪みが温度や振動といった要因で経時変化するため、描画前に専用の機器により経時変化する描画の歪み量をその都度測定して適切に補正する必要がある。
【特許文献１】特開２００３−５７８３４
【発明の開示】
【発明が解決しようとする課題】
【００１１】
本発明は、上述した問題に鑑み、複数の画素を選択的に変調する手段側から出射された各ビームによって描画したときの、描画の歪みを補正するため、適宜描画の歪み量を検出可能な手段を備えた露光装置を新たに提供することを目的とする。
【課題を解決するための手段】
【００１２】
本発明の請求項１に記載の露光装置は、複数の画素を有し各画素毎に光源から照射された光を変調する変調手段を有し、画像データに基づいて前記変調手段の複数の画素を各画素毎に変調することで露光面上に描画像を露光する露光装置において、前記変調手段のうち被測定画素として所定の複数画素から露光面上に照射された各光ビームの露光点位置情報を検出するビーム位置検出手段と、前記変調手段における前記被測定画素の位置情報と、前記ビーム位置検出手段を利用して検出された各被測定画素からそれぞれ露光面に照射された光ビームの各露光点位置情報とから、これらの相対的な位置ズレを算出する位置ズレ算出手段と、を有することを特徴とする。
【００１３】
上述のように構成することにより、出射されたビームにより露光処理する際に温度や振動といった要因で変化する描画の位置ズレを生じるような場合には、ビーム位置検出手段で検出した位置情報から、位置ズレ算出手段により描画の位置ズレ量を求め、この検出した描画の位置ズレ量に対応して適切に補正し、より高精度な描画を行って高品質の露光画像を得られるようにできる。
【００１４】
本発明の請求項２に記載の露光装置は、前記位置ズレ算出手段から算出された相対的な位置ズレから描画像の歪み量を算出する歪み量算出手段を備えたことを特徴とする。
【００１５】
上述のように構成することにより、出射されたビームにより露光処理する際に温度や振動といった要因で変化する描画の歪みを生じるような場合には、位置ズレ検出手段で検出した位置情報から、歪み量演算手段により描画の歪み量を求め、この検出した描画の歪み量に対応して適切に補正し、より高精度な描画を行って高品質の露光画像を得られるようにできる。
【００１６】
本発明の請求項３に記載の露光装置は、前記歪み量算出手段により算出された描画像の歪み量に基づき、画像データを補正する画像データ補正手段を備えたことを特徴とする。
【００１７】
上述のように構成することにより、出射されたビームにより露光処理する際に温度や振動といった要因で変化する描画の歪みを生じるような場合には、歪み量検出手段で検出した情報から、画像データ補正手段により検出した描画の歪み量に対応して画像データを適切に補正し、より高精度な描画を行って高品質の露光画像を得られるようにできる。
【００１８】
本発明の請求項４に記載の露光装置は、前記ビーム位置検出手段が、露光面に配置される感光材料を載置して走査方向に移動するステージの端部に設置されたスリット板と、前記スリット板に形成された所定長さを持つ直線状の第１スリット部と所定長さを持つ直線状の第２スリット部とをお互いが平行でないように配置した形状の検出用スリットと、前記検出用スリットを通過した光ビームを受光する光検知手段と、を有することを特徴とする。
【００１９】
上述のように構成することにより、簡易な構成のビーム位置検出手段によって所要のときに、露光エリア内で平均的に分散して点在する複数の被測定画素から照射さる各光ビームの位置情報をそれぞれ検出し、露光ヘッドの投影光学系が有するディストーションや、露光ヘッドで露光処理する際に温度や振動といった要因で経時変化する描画の歪み量をその都度測定して適切に補正することが可能なので、より高精度な描画を行って高品質の露光画像を得られる。
【００２０】
本発明の請求項５に記載の露光装置は、複数の画素を有し各画素毎に光源から照射された光を変調する変調手段を有し、画像データに基づいて前記変調手段の複数の画素を各画素毎に変調することで露光面上に描画像を露光する露光装置において、前記変調手段のうち被測定画素として所定の複数画素から露光面上に照射された各光ビームの露光点位置情報を検出するビーム位置検出手段を備え、前記ビーム位置検出手段は前記露光ヘッドに対して走査方向に並んでいない２点以上の測定箇所でビームの露光点位置を測定し、前記露光点位置から前記ビーム位置検出手段の走査方向に対する角度を検出する角度検出手段を備えたことを特徴とする。
【００２１】
上述のように構成することにより、温度や振動といった要因で変化するビーム位置検出手段の走査方向に対する角度ズレを生じるような場合には、ビーム位置検出手段で検出した角度情報により算出した角度ズレ量に対応してこれを適切に補正し、より高精度な描画を行って高品質の露光画像を得られるようにできる。
【００２２】
本発明の請求項６に記載の露光装置は、前記角度検出手段により検出された前記ビーム位置検出手段の走査方向に対する角度に基づいて、露光面上にて露光される画像データを補正する画像データ補正手段を備えたことを特徴とする。
【００２３】
上述のように構成することにより、角度検出手段で検出した角度情報から検出された描画の歪み量に対応して画像データを適切に補正し、より高精度な描画を行って高品質の露光画像を得られるようにできる。
【００２４】
本発明の請求項７に記載の露光装置は、前記ビーム位置検出手段の走査方向に対する角度を機械的に調整する角度調整手段を備えたことを特徴とする。
【００２５】
上述のように構成することにより、検出されたビーム位置検出手段の角度の校正が可能となり、描画の歪みの補正精度を向上することができる。
【００２６】
本発明の請求項８に記載の露光装置は、前記ビーム位置検出手段はスリット板と光検知手段からなり、前記角度調整手段は前記スリット板を走査方向に対して回動させるアクチュエータであることを特徴とする。
【００２７】
上述のように構成することにより、ビーム位置検出手段の角度の校正が自動で行えるため、工数を増やさずに描画の歪みの補正精度を向上することができる。
【００２８】
本発明の請求項９に記載の露光装置は、前記スリット板をガラス板で形成し、前記検出用スリットを、前記ガラス板上に遮光膜を形成し、当該遮光膜における光ビームを通過させる部分の前記遮光膜を除去して形成したことを特徴とする。
【００２９】
上述のように構成することにより、スリット板がガラス製のため、温度変化による誤差を生じにくくできる。
【００３０】
本発明の請求項１０に記載の露光装置は、前記遮光膜がクロム膜を含むことを特徴とする。
【００３１】
上述のように構成することにより、遮光膜に薄いクロム膜を利用することで高精度な加工が可能となり、ビーム位置を高精度で検出できる。
【００３２】
本発明の請求項１１に記載の露光装置は、前記ガラス板が石英ガラス板であることを特徴とする。
【００３３】
上述のように構成することにより、スリット板が石英ガラス製のため、温度変化による誤差を生じにくくできる。
【発明の効果】
【００３４】
本発明に係る露光装置によれば、複数の画素を選択的に変調する手段側から出射されたビームにより露光する際に、温度や振動といった要因で経時変化する描画の歪み量を適宜検出できるので、この検出した描画の歪み量に対応して適切に補正し、より高精度な描画を行って高品質の露光画像を得られるという効果がある。
【発明を実施するための最良の形態】
【００３５】
本発明のマルチビーム露光装置に関する実施の形態について、図１乃至図１４を参照しながら説明する。
［画像形成装置の構成］
図１に示すように、本発明の実施の形態に係るマルチビーム露光装置として構成された画像形成装置１０は、いわゆるフラットベッド型に構成したものであり、４本の脚部材１２Ａに支持された基台１２と、この基台１２上に設けられた図中Ｙ方向に移動し、例えばプリント基板（ＰＣＢ）、カラーの液晶ディスプレイ（ＬＣＤ）やプラズマ・ディスプレイ・パネル（ＰＤＰ）といったガラス基板の表面に感光材料を形成したもの等である感光材料を載置固定して移動する移動ステージ１４と、紫外波長領域を含む、一方向に延在したマルチビームをレーザ光として射出する光源ユニット１６と、このマルチビームを、所望の画像データに基づきマルチビームの位置に応じて空間変調し、マルチビームの波長領域に感度を有する感光材料に、この変調されたマルチビームを露光ビームとして照射する露光ヘッドユニット１８と、動移動ステージ１４の移動に伴って露光ヘッドユニット１８に供給する変調信号を画像データから生成する制御ユニット２０とを主に有して構成される。
【００３６】
この画像形成装置１０では、移動ステージ１４の上方に感光材料を露光するための露光ヘッドユニット１８を配置する。この露光ヘッドユニット１８には、複数の露光ヘッド２６を設置する。各露光ヘッド２６には、光源ユニット１６からそれぞれ引き出されたバンドル状光ファイバ２８を接続する。
【００３７】
この画像形成装置１０には、基台１２を跨ぐように門型フレーム２２を設け、その両面にそれぞれ一対の位置検出センサ２４を取り付ける。この位置検出センサ２４は、移動ステージ１４の通過を検知したときの検出信号を制御ユニット２０に供給する。
【００３８】
この画像形成装置１０では、基台１２の上面に、ステージ移動方向に沿って延びた２本のガイド３０を設置する。この２本のガイド３０上には、移動ステージ１４を往復移動可能に装着する。この移動ステージ１４は、図示しないリニアモータによって、例えば、１０００ｍｍの移動量を４０ｍｍ／秒といった比較的低速の一定速度で移動されるよう構成する。
【００３９】
この画像形成装置１０では、固定された露光ヘッドユニット１８に対して、移動ステージ１４に載置された感光材料（基板）を移動しながら、走査露光する。
【００４０】
図２に示すように、露光ヘッドユニット１８の内部にはｍ行ｎ列（例えば、２行４列）の略マトリックス状に配列された複数（例えば、８個）の露光ヘッド２６を設置する。
【００４１】
露光ヘッド２６による露光エリア３２は、例えば走査方向を短辺とする矩形状に構成する。この場合、感光材料１１には、その走査露光の移動動作に伴って露光ヘッド２６毎に帯状の露光済み領域３４が形成される。
【００４２】
また、図２に示すように、帯状の露光済み領域３４が走査方向と直交する方向に隙間無く並ぶように、ライン状に配列された各行の露光ヘッド２６の各々は、配列方向に所定間隔（露光エリアの長辺の自然数倍）ずらして配置されている。このため、例えば第１行目の露光エリア３２と第２行目の露光エリア３２との間の露光できない部分は、第２行目の露光エリア３２により露光することができる。
【００４３】
図４に示すように、各露光ヘッド２６は、それぞれ入射された光ビームを画像データに応じて各画素毎に変調する空間光変調素子として、デジタル・マイクロミラー・デバイス（ＤＭＤ）３６を備えている。このＤＭＤ３６は、データ処理手段とミラー駆動制御手段を備えた制御ユニット（制御手段）２０に接続されている。
【００４４】
この制御ユニット２０のデータ処理部では、入力された画像データに基づいて、各露光ヘッド２６毎にＤＭＤ３６の制御すべき領域内の各マイクロミラーを駆動制御する制御信号を生成する。また、ＤＭＤコントローラとしてのミラー駆動制御手段では、画像データ処理部で生成した制御信号に基づいて、各露光ヘッド２６毎にＤＭＤ３６における各マイクロミラーの反射面の角度を制御する。なお、この反射面の角度の制御に付いては後述する。
【００４５】
各露光ヘッド２６におけるＤＭＤ３６の光入射側には、図１に示すように、紫外波長領域を含む一方向に延在したマルチビームをレーザ光として射出する照明装置である光源ユニット１６からそれぞれ引き出されたバンドル状光ファイバ２８が接続される。
【００４６】
光源ユニット１６は、図示しないがその内部に、複数の半導体レーザチップから射出されたレーザ光を合波して光ファイバに入力する合波モジュールが複数個設置されている。各合波モジュールから延びる光ファイバは、合波したレーザ光を伝搬する合波光ファイバであって、複数の光ファイバが１つに束ねられてバンドル状の光ファイバ２８として形成される。
【００４７】
図４に示すように、各露光ヘッド２６におけるＤＭＤ３６の光入射側には、バンドル状光ファイバ２８の接続端部から出射されたレーザ光をＤＭＤ３６に向けて反射するミラー４２が配置されている。
【００４８】
ＤＭＤ３６は、図６に示すように、ＳＲＡＭセル（メモリセル）４４上に、微小ミラー（マイクロミラー）４６が支柱により支持されて配置されたものであり、画素（ピクセル）を構成する多数の（例えば、６００個×８００個）の微小ミラーを格子状に配列したミラーデバイスとして構成されている。各ピクセルには、最上部に支柱に支えられたマイクロミラー４６が設けられており、マイクロミラー４６の表面にはアルミニウム等の反射率の高い材料が蒸着されている。
【００４９】
また、マイクロミラー４６の直下には、図示しないヒンジ及びヨークを含む支柱を介して通常の半導体メモリの製造ラインで製造されるシリコンゲートのＣＭＯＳのＳＲＡＭセル４４が配置されており、全体はモノリシック（一体型）に構成されている。
【００５０】
ＤＭＤ３６のＳＲＡＭセル４４にデジタル信号が書き込まれると、支柱に支えられたマイクロミラー４６が、対角線を中心としてＤＭＤ３６が配置された基板側に対して±ａ度（例えば±１０度）の範囲で傾けられる。図７（Ａ）は、マイクロミラー４６がオン状態である＋ａ度に傾いた状態を示し、図７（Ｂ）は、マイクロミラー４６がオフ状態である−ａ度に傾いた状態を示す。従って、画像信号に応じて、ＤＭＤ３６の各ピクセルにおけるマイクロミラー４６の傾きを、図６に示すように制御することによって、ＤＭＤ３６に入射された光はそれぞれのマイクロミラー４６の傾き方向へ反射される。
【００５１】
なお、図６には、ＤＭＤ３６の一部を拡大し、マイクロミラー４６が＋ａ度又は−ａ度に制御されている状態の一例を示す。それぞれのマイクロミラー４６のオンオフ（ｏｎ／ｏｆｆ）制御は、ＤＭＤ３６に接続された制御ユニット２０によって行われるもので、オン状態のマイクロミラー４６により反射された光は露光状態に変調され、ＤＭＤ３６の光出射側に設けられた投影光学系（図４参照）へ入射する。またオフ状態のマイクロミラー４６により反射された光は非露光状態に変調され、光吸収体（図示省略）に入射する。
【００５２】
また、ＤＭＤ３６は、その短辺方向が走査方向と所定角度（例えば、０．１°〜０．５°）を成すように僅かに傾斜させて配置するのが好ましい。図５（Ａ）はＤＭＤ３６を傾斜させない場合の各マイクロミラーによる反射光像（露光ビーム）４８の走査軌跡を示し、図５（Ｂ）はＤＭＤ３６を傾斜させた場合の露光ビーム４８の走査軌跡を示している。
【００５３】
ＤＭＤ３６には、長手方向（行方向）に沿ってマイクロミラー４６が多数個（例えば、８００個）配列されたマイクロミラー列が、短手方向に多数組（例えば、６００組）配列されているが、図５（Ｂ）に示すように、ＤＭＤ３６を傾斜させることにより、各マイクロミラー４６による露光ビーム４８の走査軌跡（走査線）のピッチＰ2が、ＤＭＤ３６を傾斜させない場合の走査線のピッチＰ1より狭くなり、解像度を大幅に向上させることができる。一方、ＤＭＤ３６の傾斜角は微小であるので、ＤＭＤ３６を傾斜させた場合の走査幅Ｗ2と、ＤＭＤ３６を傾斜させない場合の走査幅Ｗ1とは略同一である。
【００５４】
また、異なるマイクロミラー列により同じ走査線上における略同一の位置（ドット）が重ねて露光（多重露光）されることになる。このように、多重露光されることで、露光位置の微少量をコントロールすることができ、高精細な露光を実現することができる。また、走査方向に配列された複数の露光ヘッド間のつなぎ目を微少量の露光位置制御により段差無くつなぐことができる。
【００５５】
なお、ＤＭＤ３６を傾斜させる代わりに、各マイクロミラー列を走査方向と直交する方向に所定間隔ずらして千鳥状に配置しても、同様の効果を得ることができる。
【００５６】
次に、露光ヘッド２６におけるＤＭＤ３６の光反射側に設けられる投影光学系（結像光学系）について説明する。図４に示すように、各露光ヘッド２６におけるＤＭＤ３６の光反射側に設けられる投影光学系は、ＤＭＤ３６の光反射側の露光面にある感光材料１１上に光源像を投影するため、ＤＭＤ３６の側から感光材料１１へ向って順に、レンズ系５０，５２、マイクロレンズアレイ５４、対物レンズ系５６，５８の各露光用の光学部材が配置されて構成されている。
【００５７】
ここで、レンズ系５０，５２は拡大光学系として構成されており、ＤＭＤ３６により反射される光線束の断面積を拡大することで、感光材料１１上のＤＭＤ３６により反射された光線束による露光エリア３２（図２に図示）の面積を所要の大きさに拡大している。
【００５８】
図４に示すように、マイクロレンズアレイ５４は、光源ユニット１６から各光ファイバ２８を通じて照射されたレーザ光を反射するＤＭＤ３６の各マイクロミラー４６に１対１で対応する複数のマイクロレンズ６０が一体的に成形されたものであり、各マイクロレンズ６０は、それぞれレンズ系５０，５２を透過した各レーザビームの光軸上にそれぞれ配置されている。
【００５９】
このマイクロレンズアレイ５４は、矩形平板状に形成され、各マイクロレンズ６０を形成した部分には、それぞれアパーチャ６２を一体的に配置する。このアパーチャ６２は、各マイクロレンズ６０に１対１で対応して配置された開口絞りとして構成する。
【００６０】
図４に示すように、対物レンズ系５６，５８は、例えば、等倍光学系として構成されている。また感光材料１１は、対物レンズ系５６，５８の後方焦点位置に配置される。なお、投影光学系における各レンズ系５０，５２，対物レンズ系５６，５８は、図４においてそれぞれ１枚のレンズとして示されているが、複数枚のレンズ（例えば、凸レンズと凹レンズ）を組み合せたものであっても良い。
【００６１】
上述のように構成された画像形成装置１０では、露光ヘッド２６の投影光学系における各レンズ系５０，５２や対物レンズ系５６，５８等が有するディストーションや、露光ヘッド２６で露光処理する際に温度や振動といった要因で経時変化する描画の歪み量を、適宜検出するための描画の歪み量検出手段を設ける。
【００６２】
この描画の歪み量検出手段の一部として図３及び図８に示すように、この画像形成装置１０には、その移動ステージ１４の搬送方向上流側に、照射されたビーム位置を検出するためのビーム位置検出手段を配置する。
【００６３】
このビーム位置検出手段は、移動ステージ１４における搬送方向（走査方向）に沿って上流側の端縁部に一体的に取り付けたスリット板７０と、このスリット板７０の裏側に、各スリット毎に対応して設置した光検知手段としてのフォトセンサ７２とを有する。
【００６４】
このスリット板７０は、移動ステージ１４の幅方向全長の長さを持つ矩形長板状の石英ガラス板に遮光用の薄いクロム膜（クロムマスク、エマルジョンマスク）を形成し、このクロム膜の所定複数位置に、それぞれレーザビームを通過させるようＸ軸方向に向かって開く「く」の字型部分のクロム膜をエッチング加工（例えばクロム膜にマスクしてスリットをパターニングし、エッチング液でクロム膜のスリット部分を溶出させる加工）により除去して形成した検出用スリット７４を穿設する。
【００６５】
このように構成したスリット板７０は、石英ガラス製のため、温度変化によりる誤差を生じにくく、また遮光用の薄いクロム膜を利用することにより、ビーム位置を高精度で検出できる。
【００６６】
図８及び図１１（Ａ）に示すように、「く」の字型の検出用スリット７４は、その搬送方向上流側に位置する所定長さを持つ直線状の第１スリット部７４ａと搬送方向下流側に位置する所定長さを持つ直線状の第２スリット部７４ｂとをそれぞれの一端部で直角に接続した形状に形成する。すなわち、第１スリット部７４ａと、第２スリット部７４ｂとは互いに直交するとともに、Ｙ軸（走行方向）に対して第１スリット部７４ａは１３５度、第２スリット部７４ｂは４５度の角度を有するように構成する。なお、本実施の形態では、走査方向をＹ軸にとり、これに直交する方向（露光ヘッド２６の配列方向）をＸ軸にとる。
【００６７】
なお、検出用スリット７４における第１スリット部７４ａと、第２スリット部７４ｂとは、走査方向に対して４５度の角度を成すように形成したものを図示したが、これら第１スリット部７４ａと、第２スリット部７４ｂとを、露光ヘッド２６の画素配列に対して傾斜すると同時に、走査方向、即ちステージ移動方向に対して傾斜する状態（お互いが平行でないように配置した状態）とできれば、走査方向に対する角度を任意に設定しても良い。また、検出用スリット７４に代えて回折格子を使用してもよい。
【００６８】
各検出用スリット７４直下の各所定位置には、それぞれ露光ヘッド２６からの光を検出するフォトセンサ７２（ＣＣＤ、ＣＭＯＳ又はフォトディテクタ等でも良い）を配置する。
【００６９】
この画像形成装置１０では、制御手段である制御ユニット２０に、歪み量検出手段の一部となる電気系の構成を設ける。
【００７０】
この制御ユニット２０は使用者が指令を入力するためのスイッチ類を有する指示入力手段を持つと共に、図示しないが、歪み量演算手段の一部を兼ねる制御装置としてのＣＰＵ及びメモリを有する。この制御装置は、ＤＭＤ３６における各々のマイクロミラー４６を駆動制御可能に構成されており、画像データに対して、ビーム位置検出手段で検出した結果に基づき歪み補正処理を行って、適切な制御信号を生成してＤＭＤ３６を制御すると共に、感光材料１１が載置された移動ステージ１４を走査方向に駆動制御する。また、制御装置は、各フォトセンサ７２から検出信号を送信すると共に、画像形成装置１０で露光処理する際に必要となる光源ユニット１６といった画像形成装置１０の露光処理動作全般に係わる各種装置の制御を行う。
【００７１】
次に、この画像形成装置１０に設けた描画の歪み量検出手段において、検出用スリット７４を利用してビーム位置を検出する手段について説明する。
【００７２】
まず、この画像形成装置１０において、被測定画素である一つの特定画素Ｚ１を点灯したときの露光面上に実際に照射された位置を、検出用スリット７４を利用して特定するときの手段について説明する。
【００７３】
この場合に制御装置は、移動ステージ１４を移動操作してスリット板７０の所定露光ヘッド２６用の所定検出用スリット７４を露光ヘッドユニット１８の下方に位置させる。
【００７４】
次に制御装置は、所定のＤＭＤ３６における特定画素Ｚ１だけをオン状態（点灯状態）とするよう制御する。
【００７５】
さらに制御装置は、移動ステージ１４を移動制御することにより、図１１（Ａ）に実線で示すように、検出用スリット７４が露光エリア３２上の所要位置（例えば原点とすべき位置）となるように移動させる。このとき、制御装置は、第１スリット部７４ａと、第２スリット部７４ｂとの交点を（Ｘ０，Ｙ０）と認識し、メモリに記憶する。なお図１２（Ａ）では、Ｙ軸から反時計方向に回転する方向を正の角とする。
【００７６】
次に、図１１（Ａ）に示すように、制御装置は、移動ステージ１４を移動制御することにより、検出用スリット７４をＹ軸に沿って図１１（Ａ）に向かって右方へ移動を開始させる。そして、制御装置は、図１１（Ａ）に向かって右方の想像線で示した位置で、図１１（Ｂ）に例示するように、点灯している特定画素Ｚ１からの光が第１スリット部７４ａを透過してフォトセンサ７２で検出されたことを検知した際に移動ステージ１４を停止させる。制御装置は、このときの第１スリット部７４ａと、第２スリット部７４ｂとの交点を（Ｘ０，Ｙ１１）として認識し、メモリに記憶する。
【００７７】
次に、制御装置は、移動ステージ１４を移動操作し、検出用スリット７４をＹ軸に沿って図１１（Ａ）に向かって左方へ移動を開始させる。そして、制御装置は、図１１（Ａ）に向かって左方の想像線で示した位置で、図１１（Ｂ）に例示するように点灯している特定画素Ｚ１からの光が第１スリット部７４ａを透過してフォトセンサ７２で検出されたことを検知した際に、移動ステージ１４を停止させる。制御装置は、このときの第１スリット部７４ａと、第２スリット部７４ｂとの交点を（Ｘ０，Ｙ１２）として認識し、メモリに記憶する。
【００７８】
次に、制御装置は、メモリに記憶した、座標（Ｘ０，Ｙ１１）と（Ｘ０，Ｙ１２）とを読み出して、特定画素Ｚ１の座標を求め、実際の位置を特定するため下記式で演算を行う。ここで、特定画素Ｚ１の座標を（Ｘ１，Ｙ１）とすると、Ｘ１＝Ｘ０＋（Ｙ１１−Ｙ１２）／２で表され、Ｙ１＝（Ｙ１１＋Ｙ１２）／２で表される。
【００７９】
なお、上述のように第１スリット部７４ａと交差する第２スリット部７４ｂを有する検出用スリット７４と、フォトセンサ７２とを組み合わせて用いる場合には、フォトセンサ７２が、第１スリット部７４ａ又は第２スリット部７４ｂを通過する所定範囲の光だけを検出することになる。よって、フォトセンサ７２は、第１スリット部７４ａ又は第２スリット部７４ｂに対応する狭い範囲だけの光量を検出する微細で特別な構成とすること無く、市販の廉価なもの等を利用できる。
【００８０】
次に、この画像形成装置１０において、一つの露光ヘッド２６によって露光面上に像を投影可能な露光エリア（全面露光領域）３２の描画の歪み量を検出するための手段について説明する。
【００８１】
全面露光領域としての露光エリア３２の歪み量を検出するため、この画像形成装置１０では、図３に示すように、一つの露光エリア３２に対して複数、本実施の形態では５個の検出用スリット７４が同時に位置検出するよう構成する。
【００８２】
このため、一つの露光ヘッド２６による露光エリア３２内には、測定対象となる露光エリア内で平均的に分散して点在する複数の被測定画素を設定する。本実施の形態では、被測定画素を５組み設定する。これら複数の被測定画素は、露光エリア３２の中心に対して対象位置に設定する。図８に示す露光エリア３２では、その長手方向中央位置に配置した一組（ここでは被測定画素３個で一組）の被測定画素Ｚｃ１、Ｚｃ２、Ｚｃ３に対して、左右対称に２組づつの被測定画素Ｚａ１、Ｚａ２、Ｚａ３、Ｚｂ１、Ｚｂ２、Ｚｂ３のペアと、Ｚｄ１、Ｚｄ２、Ｚｄ３、Ｚｅ１、Ｚｅ２、Ｚｅ３ペアとを設定する。
【００８３】
また図８に示すように、スリット板７０には、各被測定画素の組みを検出可能にそれぞれ対応する位置に、５個の検出用スリット７４Ａ、７４Ｂ、７４Ｃ、７４Ｄ及び７４Ｅを配置する。
【００８４】
さらに、予めスリット板７０に形成した５個の検出用スリット７４Ａ、７４Ｂ、７４Ｃ、７４Ｄ及び７４Ｅ間の加工誤差を調整するときの演算を容易にするため、第１スリット部７４ａと第２スリット部７４ｂとの交点の相対的座標位置の関係を求める。例えば図９に示すスリット板７０では、第１の検出用スリット７４Ａの座標（Ｘ1、Ｙ1）を基準とすると、第２の検出用スリット７４Ｂの座標が（Ｘ1＋ｌ1、Ｙ1）、第３の検出用スリット７４Ｃの座標が（Ｘ1＋ｌ1＋ｌ2、Ｙ1）、第４の検出用スリット７４Ｄの座標が（Ｘ1＋ｌ1＋ｌ2＋ｌ3、Ｙ1＋ｍ1）、第５の検出用スリット７４Ｅ（Ｘ1＋ｌ1＋ｌ2＋ｌ3＋ｌ4、Ｙ1）となる。
【００８５】
次に前述した条件を基にして、制御装置が露光エリア３２の歪み量を検出する場合には、制御装置がＤＭＤ３６を制御して、所定一群の被測定画素（Ｚａ１、Ｚａ２、Ｚａ３、Ｚｂ１、Ｚｂ２、Ｚｂ３、Ｚｃ１、Ｚｃ２、Ｚｃ３、Ｚｄ１、Ｚｄ２、Ｚｄ３、Ｚｅ１、Ｚｅ２、Ｚｅ３）をオン状態としてスリット板７０を設置した移動ステージ１４を各露光ヘッド２６の直下で移動させることにより、これら被測定画素の各々に対して、それぞれ対応する検出用スリット７４Ａ、７４Ｂ、７４Ｃ、７４Ｄ及び７４Ｅを利用して座標を求める。その際、所定一群の被測定画素は個々にオン状態としても良く、また全てをオン状態として検出しても良い。
【００８６】
次に、制御装置は、ＤＭＤ３６における各被測定画素に対応した所定マイクロミラー４６の反射面の位置情報と、検出用スリット７４を利用して検出された所定マイクロミラー４６から露光面（露光エリア３２）に投射された所定光ビームの露光点位置情報とから、これらの相対的な位置ずれをそれぞれ演算することにより、図１０に例示するような露光エリア３２内における描画の歪み量（歪み状態）を求める。
【００８７】
図１２には、１ヘッド内における描画の歪みと補正方法、画像への影響を示す。
【００８８】
図１２（ａ）に示すように、光学系や感光材料に歪みのない状態であれば、ＤＭＤ３６に入力される画像データは図１２（ｂ）のように特に補正されず、そのまま感光材料１１上に出力されることで図１２（ａ）のように理想的な画像が描画される。
【００８９】
しかし出射されたビームにより露光処理する際に温度や振動といった要因で変化する描画の歪みを１ヘッド内の画像において生じるような場合には、露光エリア３２に露光された画像９９は（補正しない画像をそのままＤＭＤ３６に入力すれば）図１２（ｃ）のように変形してしまい、このため補正が必要となる。
【００９０】
そこで図１２（ｆ）のように、ＤＭＤ３６に入力される画像データを補正し、感光材料１１上に出力される画像そのものを位置ズレ検出手段で検出した位置情報から、歪み量演算手段により描画の歪み量を求め、この検出した描画の歪み量に対応して適切に補正すれば、最終的に歪みのない正しい画像９９’が得られる。
【００９１】
この画像形成装置１０では、前述のような描画の歪み量検出手段で検出した描画の歪み量（歪み状態）に基づいて、この画像形成装置１０に適用可能な画像データ又は露光点座標データ等に対する補正処理（例えば従来のディストーションを補正するときの、実測値（歪み量から演算された値）を露光点座標データとして利用する補正の手段）を施して適切な修正を行い、ＤＭＤ３６を制御して、高精度で描画パターンを露光処理し、感光材料上にパターン露光する処理の品質を向上する。
【００９２】
なお、前述した画像形成装置１０では、スリット板７０に複数の検出用スリット７４Ａ、７４Ｂ、７４Ｃ、７４Ｄ及び７４Ｅを形成し、各々に対応してフォトセンサ７２を設けたものについて説明したが、単一の検出用スリット７４と単一のフォトセンサ７２とを組み合わせたものを、移動ステージ１４に対してＸ軸方向に移動して各被測定画素の組み毎に位置検出を行うように構成しても良い。
【００９３】
この場合には、単一の検出用スリット７４と単一のフォトセンサ７２とを組み合わせたもののＸ軸方向に対する移動位置情報と、被測定画素を点灯したときの露光面上に実際に照射された露光点位置情報とを演算して、描画の歪み量（歪み状態）を求める。
［画像形成装置の動作］
次に、上述のように構成した画像形成装置１０の動作について説明する。
【００９４】
この画像形成装置１０に設けるファイバアレイ光源である光源ユニット１６は、図示しないが、レーザ発光素子の各々から発散光状態で出射した紫外線等のレーザビームをコリメータレンズによって平行光化して集光レンズによって集光し、マルチモード光ファイバのコアの入射端面から入射して光ファイバ内を伝搬させ、レーザ出射部で１本のレーザビームに合波させてマルチモード光ファイバの出射端部に結合させた光ファイバ２８から出射する。
【００９５】
この画像形成装置１０では、露光パターンに応じた画像データが、ＤＭＤ３６に接続された制御ユニット２０に入力され、制御ユニット２０内のメモリに一旦記憶される。この画像データは、画像を構成する各画素の濃度を２値（ドットの記録の有無）で表したデータである。この画像データは、制御装置により、前述した描画の歪み量検出手段で検出した描画の歪み量（歪み状態）に基づいて、適切に補正される。
【００９６】
感光材料１１を表面に吸着した移動ステージ１４は、図示しない駆動装置により、ガイド３０に沿って搬送方向上流側から下流側に一定速度で移動される。移動ステージ１４が門型フレーム２２の下を通過する際に、門型フレーム２２に取り付けられた位置検出センサ２４により感光材料１１の先端が検出されると、メモリに記憶された描画の歪み量検出手段で検出した描画の歪み量に基づいて補正済みの画像データが複数ライン分ずつ順次読み出され、データ処理部としての制御装置で読み出された画像データに基づいて各露光ヘッド２６毎に制御信号が生成される。なお、制御装置で読み出された未補正の画像データに基づいて各露光ヘッド２６毎に制御信号を生成する際に、前述した描画の歪み量検出手段で検出した描画の歪み量（歪み状態）に基づいて補正する処理を行うようにしても良い。そして、この生成された制御信号に基づいて各露光ヘッド２６毎に空間光変調素子（ＤＭＤ）３６のマイクロミラーの各々がオンオフ制御する。
【００９７】
光源ユニット１６から空間光変調素子（ＤＭＤ）３６にレーザ光が照射されると、ＤＭＤ３６のマイクロミラーがオン状態のときに反射されたレーザ光は、適正に補正された描画のための露光位置に結像される。このようにして、光源ユニット１６から出射されたレーザ光が画素毎にオンオフされて、感光材料１１が露光処理される。
【００９８】
また、感光材料１１が移動ステージ１４と共に一定速度で移動されることにより、感光材料１１が露光ヘッドユニット１８によりステージ移動方向と反対の方向に走査され、各露光ヘッド２６毎に帯状の露光済み領域３４（図２に図示）が形成される。
【００９９】
露光ヘッドユニット１８による感光材料１１の走査が終了し、位置検出センサ２４で感光材料１１の後端が検出されると、移動ステージ１４は、図示しない駆動装置により、ガイド３０に沿って搬送方向最上流側にある原点に復帰し、再度、ガイド３０に沿って搬送方向上流側から下流側に一定速度で移動される。
【０１００】
また、本実施の形態に係る画像形成装置１０では、露光ヘッド２６に用いる空間光変調素子としてＤＭＤを用いたが、例えば、ＭＥＭＳ（Micro Electro Mechanical Systems）タイプの空間光変調素子（ＳＬＭ；Special Light Modulator）や、電気光学効果により透過光を変調する光学素子（ＰＬＺＴ素子）や液晶光シャッタ（ＦＬＣ）等、ＭＥＭＳタイプ以外の空間光変調素子をＤＭＤに代えて用いることができる。
【０１０１】
なお、ＭＥＭＳとは、ＩＣ製造プロセスを基盤としたマイクロマシニング技術によるマイクロサイズのセンサ、アクチュエータ、そして制御回路を集積化した微細システムの総称であり、ＭＥＭＳタイプの空間光変調素子とは、静電気力を利用した電気機械動作により駆動される空間光変調素子を意味している。
【０１０２】
また、本実施形態に係る画像形成装置１０では、露光ヘッド２６に用いる空間光変調素子（ＤＭＤ）１４を、複数の画素を選択的にｏｎ／ｏｆｆする手段に置き換えて構成しても良い。この複数の画素を選択的にｏｎ／ｏｆｆする手段は、例えば、各画素に対応したレーザビームを選択的にｏｎ／ｏｆｆして出射可能にしたレーザ光源で構成し、または、各微小レーザ発光面を各画素に対応して配置することにより面発光レーザ素子を形成し、各微小レーザ発光面を選択的にｏｎ／ｏｆｆして発光可能にしたレーザ光源で構成することができる。
【０１０３】
ところで、径時的な原因などでスリット板７０が走査方向と直交する方向に対して図１３（ａ）のように角度θで傾いているような場合には、露光エリア３２に露光された画像９９はスリット板７０の傾きによって歪みを誤検出し、実線のように（補正しない画像をそのままＤＭＤ３６に入力すれば）変形してしまう。
【０１０４】
そこでスリット板７０と走査方向と直交する方向に平行な直線との角度θもしくは、露光ヘッド２６とスリット板７０の角度θscaleを測定し、傾きを校正する必要がある。
【０１０５】
図１４には、スリット板と露光ヘッドの角度測定方法を示す。
【０１０６】
図１４に示すように、各露光ヘッド２６は画素ごとに露光のオンオフが可能となっている。
【０１０７】
すなわち、それぞれ入射された光ビームを画像データに応じて各画素毎に変調する空間光変調素子として、デジタル・マイクロミラー・デバイス（ＤＭＤ）３６を備えている。露光ヘッド２６から出射されたレーザ光がＤＭＤ３６に照射されると、ＤＭＤ３６のマイクロミラーがオン状態のときに反射されたレーザ光は、レンズ系により感光材料１１の露光面上に結像される。レーザ光が画素毎にオンオフされて、感光材料１１がＤＭＤ３６の使用画素数と略同数の画素単位（露光エリア）で露光される。
【０１０８】
露光ビーム位置の検出手段として、レーザビームによる露光位置を検出する検出用スリット７４を備えるスリット板７０が設けられ、且つ一個の露光ヘッドユニット１８に対して少なくとも２個の検出用スリット７４が設けられている。
【０１０９】
まず図１４のヘッド１において画素１−ａ、１−ｂ、１−ｃを順次点灯する。このうち走査方向（Ｙ方向）にて一直線上に並んだ１−ａ、１−ｂのヘッド１上における画素位置（座標）を求めることで、走査方向に対するヘッド１の角度であるθhead が算出できる。次に同一の行（ヘッド１上）上の画素１−ｂ、１−ｃのヘッド１上における画素位置（座標）を求めることで、ヘッド１に対するスリット板７０の角度であるθscale が算出できる。
【０１１０】
最後に上記２つの角度すなわちθhead とθscale が等しくなるようにスリット板７０の角度を角度調整装置９５で調整する。
【０１１１】
上記の調整により走査方向（Ｙ方向）に対してスリット板７０を正しく垂直方向に角度合わせできるので、複数の露光ヘッド２６内の画素位置を正確な座標系で測定できるようになり、正確に露光画像の歪み補正をした露光を実現できるようになる。
【０１１２】
すなわち、ヘッド１と走査方向の角度、ヘッド１とスリット板７０の角度は検出可能であるため、この２つから走査方向とスリット板７０の角度を検出・校正することができる。
【０１１３】
上記の構成とすることにより、画像形成装置装置１０内にある座標基準となるスリット板７０を自身で高精度に位置補正することができる。これにより画像形成装置１０内で径時変化があった時、たとえば移動ステージ１４の走査方向が変化したり、あるいはスリット板７０の取付角度が走査方向に対して変化した場合などに走査方向を測定するための高精度な測定装置を必要とせず、装置内の機能だけで校正可能なので、画像形成装置１０全体の径時信頼性が向上する。
【０１１４】
また、機械的にスリット板７０の角度を校正する方法の他に、図１３（ｂ）のように、ＤＭＤ３６に入力される画像データを検出された角度θに応じて補正し、感光材料１１上に出力される画像そのものを適切に補正すれば、スリット板７０の傾きにより誤検出された歪みのない正しい画像９９が得られる。
【０１１５】
なお、本発明のマルチビーム露光装置は、前述した実施の形態に限定されるものではなく、本発明の要旨を逸脱しない範囲において、その他種々の構成をとり得ることは勿論である。
【図面の簡単な説明】
【０１１６】
【図１】本発明のマルチビーム露光装置の実施の形態に係る、画像形成装置の全体概略斜視図である。
【図２】本発明の実施の形態に係る画像形成装置に設けた露光ヘッドユニットの各露光ヘッドによって感光材料に露光する状態を示す要部概略斜視図である。
【図３】本発明の実施の形態に係る画像形成装置に設けた露光ヘッドユニットにおける一つの露光ヘッドによって感光材料に露光する状態を示す要部拡大概略斜視図である。
【図４】本発明の実施の形態に係る画像形成装置の露光ヘッドに関する光学系の概略構成図である。
【図５】（Ａ）は本発明の実施の形態に係る画像形成装置における、ＤＭＤを傾斜させない場合の各マイクロミラーによる反射光像（露光ビーム）の走査軌跡を示す要部平面図、（Ｂ）はＤＭＤを傾斜させた場合の露光ビームの走査軌跡を示す要部平面図である。
【図６】本発明の実施の形態に係る露光装置に用いるＤＭＤの構成を示す要部拡大斜視図である。
【図７】（Ａ）及び（Ｂ）は、本発明の実施の形態に係る露光装置に用いるＤＭＤの動作を説明するための説明図である。
【図８】本発明の実施の形態に係る画像形成装置に係わる複数の検出用スリットを利用して所定複数点灯している特定画素を検出する状態を示す説明図である。
【図９】本発明の実施の形態に係る画像形成装置に係わる、スリット板上に形成された複数の検出用スリットの相対的な位置関係の一例を示す説明図である。
【図１０】本発明の実施の形態に係る画像形成装置に係わる描画の歪み量検出手段で検出した描画の歪み量（歪み状態）を例示する説明図である。
【図１１】（Ａ）は、本発明の実施の形態に係る画像形成装置に係わる検出用スリットを利用して点灯している特定画素の位置を検出する状態を示す説明図、（Ｂ）は、点灯している特定画素をフォトセンサが検知したときの信号を示す説明図である。
【図１２】本発明の実施の形態に係る画像形成装置に係わる描画の歪み量検出手段で検出した描画の歪み補正を例示する説明図である。
【図１３】本発明の一実施形態に係る基準板の傾きによる描画像への影響を示す図である。
【図１４】本発明の一実施形態に係る基準板の傾きによる描画像への影響を補正する方法を示す図である。
【符号の説明】
【０１１７】
１０ 画像形成装置
１１ 感光材料
１４ 移動ステージ
１６ 光源ユニット
１８ 露光ヘッドユニット
２０ 制御ユニット
２４ 位置検出センサ
２６ 露光ヘッド
３２ 露光エリア
４６ マイクロミラー
４８ 露光ビーム
７０ スリット板
７２ フォトセンサ
７４ 検出用スリット
７４ａ 第１スリット部７４ａ
７４ｂ 第２スリット部７４ｂ
９５ 角度調整装置
【図１】
2005316409.tif 000003
【図２】
2005316409.tif 000004
【図３】
2005316409.tif 000005
【図４】
2005316409.tif 000006
【図５】
2005316409.tif 000007
【図６】
2005316409.tif 000008
【図７】
2005316409.tif 000009
【図８】
2005316409.tif 000010
【図９】
2005316409.tif 000011
【図１０】
2005316409.tif 000012
【図１１】
2005316409.tif 000013
【図１２】
2005316409.tif 000014
【図１３】
2005316409.tif 000015
【図１４】
2005316409.tif 000016